(57)【特許請求の範囲】
【請求項１】
遊技機本体に対して開閉可能な開閉扉に発光部を備えた遊技機において、
前記発光部は、
高電圧で発光する発光体と、インバータ基板と、前記発光体及び前記インバータ基板が取り付けられる本体部と、前記本体部に取り付けられると共に前記インバータ基板を覆う基板カバーとによってユニット化され、
前記発光体は、長さが互いに異なる円弧状の複数の冷陰極管で構成され、
前記本体部は、
略三角形状に形成された樹脂製の枠体であって、互いに直交する２つの側壁と、前記２つの側壁の各末端部同士を繋ぐように円弧凹状に形成された内側周壁とを備え、
前記本体部の前面に前記内側周壁に沿って凹に形成した発光体収納部が設けられ、前記本体部の裏面の隅部に凹に形成したインバータ基板収納部が設けられ、
前記発光部は、
前記発光体収納部に前記発光体が収納され、前記インバータ基板収納部に前記インバータ基板が収納され、
前記開閉扉が備える複数のコーナ部分に対して、前記開閉扉の裏面から前記発光部がそれぞれ取り付けられている、
ことを特徴とする遊技機。
【発明の詳細な説明】
【０００１】
【発明の属する技術分野】
本発明は、遊技機本体に対して開閉可能な開閉扉に発光部を備えた遊技機に関する。
【０００２】
【従来の技術】
発光体に冷陰極管を用いた場合、インバータを用いる必要があるが、インバータと発光体とを離して配置すると、高圧の電源ハーネスを発光体まで引き回す必要がある。特に、遊技機本体に対して開閉可能な開閉扉側に、冷陰極管を用いた発光体による電飾部を設置しようとすると、インバータが遊技盤裏面に配されているため、どうしても電源ハーネスの引き回し距離が長くなる。しかしながら、高圧の電源ハーネスの引き回し距離が長くなると、漏電等による遊技者、或いは店員の感電の虞、高圧の電源ハーネスから発生する高周波ノイズが遊技盤裏面に配置される制御部等に入り込むことによる制御系誤作動の虞、電源効率低下等の問題が懸念される。
【０００３】
【発明が解決しようとする課題】
本発明の目的は、発光部における高電圧の電源ハーネスの引き回しをなくすことができ、漏電等による遊技者或いは店員の感電、高圧の電源ハーネスから発生する高周波ノイズによる制御系誤作動、電源効率低下等の問題を解消できる遊技機を提供することにある。
【０００４】
【課題を解決するための手段】
請求項１に記載の遊技機は、遊技機本体に対して開閉可能な開閉扉に発光部を備えたものであって、上記課題を解決するために、前記発光部は、高電圧で発光する発光体と、インバータ基板と、前記発光体及び前記インバータ基板が取り付けられる本体部と、前記本体部に取り付けられると共に前記インバータ基板を覆う基板カバーとによってユニット化され、前記発光体は、長さが互いに異なる円弧状の複数の冷陰極管で構成され、前記本体部は、略三角形状に形成された樹脂製の枠体であって、互いに直交する２つの側壁と、前記２つの側壁の各末端部同士を繋ぐように円弧凹状に形成された内側周壁とを備え、前記本体部の前面に前記内側周壁に沿って凹に形成した発光体収納部が設けられ、前記本体部の裏面の隅部に凹に形成したインバータ基板収納部が設けられ、前記発光部は、前記発光体収納部に前記発光体が収納され、前記インバータ基板収納部に前記インバータ基板が収納され、前記開閉扉が備える複数のコーナ部分に対して、前記開閉扉の裏面から前記発光部がそれぞれ取り付けられていることを特徴とする。
【０００６】
【発明の実施の形態】
以下、図面を参照して本発明の実施の形態を説明する。なお、本実施形態では、遊技機の一形態としてパチンコ遊技機を用いて説明するが、本発明はパチンコ遊技機に限らず、例えば、コイン式遊技機等であってもよく、遊技機の発光部が、高電圧で発光する発光体と、インバータ基板と、前記発光体及びインバータ基板が取り付けられる本体部と、前記インバータ基板を覆う基板カバーとによってユニット化されているものであれば全て対象となる。
【０００７】
図１は、本発明の一実施形態におけるパチンコ遊技機１の正面図である。遊技機本体枠１の前面に亘って開閉扉２が配置され、該開閉扉２はヒンジ３により遊技機本体枠１の正面左側に開閉自在に取り付けられている。なお、図２は、開閉扉２を遊技機本体枠１に対して開放させた状態を示すパチンコ遊技機１の斜視図である。
【０００８】
図１に示すように、開閉扉２は、その全面が透光性のある樹脂で構成されており、開閉扉１の四隅には、高電圧で発光する発光体７を用いた発光ユニット（発光部）６がそれぞれ設けられると共に、開閉扉２の裏面側から発光ユニット６が取り付けられている。なお、開閉扉２の全面にレンズカットを施して全面レンズとすると発光された光が拡散されて効果的である。開閉扉２の中央には、円形状かつ大径の開口が設けられ、該開口には円形の前面ガラス５が嵌め込まれており、遊技機本体枠１に設けた遊技盤４が前面ガラス５を通して透視可能となっている。また、開閉扉２の下部中央には、前面に向けて張り出した膨出部２ａが設けられ、該膨出部２ａには液晶表示器等からなる遊技状態表示器８が組み付けられている。さらに、遊技機本体枠１の下部右隅部には、遊技球を遊技領域に向けて発射するための打球発射装置（図示せず）の操作ハンドル９が設けられている。
【０００９】
図３は、発光ユニット６を分解して前面側から示す斜視図であり、図４は発光ユニットを分解して裏面側から示す斜視図である。発光ユニット６は、高電圧で発光する発光体７、インバータ基板１０、発光体７及びインバータ基板１０が取り付けられる本体部１１と、インバータ基板１０を本体部１１の裏面側から覆うインバータ基板カバー１２とによって構成される。
【００１０】
発光体７は、本実施形態では、長さが互いに異なる円弧状の３本の冷陰極管で構成してある。発光体７は、パチンコ遊技機の電圧２４Ｖに比較して、点灯電圧が３００Ｖ〜１ＫＶぐらいの高電圧で発光するものであり、冷陰極管に限らず、例えば、蛍光灯、ネオン管、あるいはＥＬ（エレクトロ・ルミネッセンス）を用いてもよい。しかしながら、通常用いられるＬＥＤやランプでは点灯電圧（５Ｖ〜１２Ｖ）が低いため、これらは本発明の発光体に含まれない。発光体７は電飾として用いられ、遊技状態（例えば、大当り時）によって点灯状態が変化するものである。また、冷陰極管を多色（例えば、レッド、グリーン、ブルー）にし、各色の発光度合い（例えば、輝度）を個別変化させれば、階調性を持った多色発光とすることができる。例えば、遊技状態に連動して発光の色彩を変化させるようにすると効果的な電飾となる。
【００１１】
インバータ基板１０は、インバータを実装した基板であって、発光ユニット６のインバータ基板１０までは通常電圧（例えば、１２Ｖ）で配電され、該インバータで発光体７の点灯用電圧に変圧する。また、インバータは、発光体７の点灯時のチラツキを防ぐために周波数１６０ＨＺとしてある。
【００１２】
本体部１１は、樹脂製の枠体であって、実施形態では、正面視が略三角形状に形成されており、開閉扉２の四隅に馴染むように形成した互いに直交する２つ側壁１３，１４と、２つの側壁１３，１４の各末端部同士を繋ぐように円弧凹状に形成された内側周壁１５を備える。本体部１１の内側には、前面側に内側周壁１５に沿って凹に形成した発光体収納部１６が設けられ、裏面側の隅部に三角形状の凹に形成したインバータ基板収納部１７が設けられている。また、２つの側壁１３，１４と内側周壁１５とがそれぞれ接続する本体部１１の両端部の端面には突部１８，１８がそれぞれ設けられ、各突部１８，１８にはそれぞれ取付用のネジ挿通孔１９，１９が形成されている。
【００１３】
インバータ基板カバー１２は、略三角形状をなした内側が中空の枠体であって、その正面に放熱用の多数の小孔２０が穿設されている。また、本体部１１の側壁１３及び側壁１４に沿って配置されるインバータ基板カバー１２の側壁２１の中間と側壁２２の中間とには、インバータ基板カバー１２を本体部１１に係止するための係止爪２３，２３がそれぞれ設けられている。
【００１４】
発光ユニット６は、次のように組み立てられる。本体部１１の前面側に形成された発光体収納部１６に発光体（円弧状の３本の冷陰極管）７が収納される。なお、発光体７はインバータ基板１０に電気的に接続された状態となる。また、本体部１１の裏面側に形成されたインバータ基板収納部１７の内部にインバータ基板１０が収納され、該インバータ基板１０を後方から覆うようにしてインバータ基板カバー１２がインバータ基板収納部１７に嵌め込まれる。インバータ基板カバー１２に形成された側壁２１，２２にそれぞれ形成された係止爪２３，２３が、本体部１１の側壁１３及び側壁１４に形成された図示しない係止孔にそれぞれ入り込み、インバータ基板カバー１２が本体部１１に係止される。発光ユニット６は、本体部１１の両端部の突部１８，１８に設けられた取付用のネジ挿通孔１９，１９に取付用ネジ（図示せず）を挿通し、取付用ネジを開閉扉２の裏面にネジ止めすることにより取り付けられる。
【００１５】
このように、発光体７、インバータ基板１０及びインバータ基板カバー１２を本体部１１に取り付けて発光体ユニット６としてユニット化したことにより、高電圧のハーネスを引き回さないようにすることができる。また、遊技機の制御部は遊技盤の裏面側に配置されているが、ユニット化した発光ユニット６を開閉扉２の四隅にそれぞれ設けたことにより、各発光ユニット６に対しても高電圧のハーネスを引き回さないようにすることができるとともに、遊技機の制御部から遊技盤を隔てて遠ざけて発光ユニット６を配置することになり、発光ユニット６のインバータ基板１０で発生する高電圧による高周波ノイズの制御部への影響をさらに防止することができる。これにより、特に感電防止、高周波ノイズの発生による制御部の誤作動防止に効果がある。
【００１６】
なお、発光ユニット６を遊技盤に取付ける場合は、例えば、発光ユニット６をサイドランプ等に用いる場合には、冷陰極管の前面にレンズ部材を配置する。
【００１７】
【発明の効果】
請求項１に記載の構成によれば、発光部が、高電圧で発光する発光体と、インバータ基板と、発光体及びインバータ基板が取り付けられる本体部と、インバータ基板を覆う基板カバーとによってユニット化されているので、高圧の電源ハーネスを引き回さなくてすみ、この結果、漏電等による感電、高圧の電源ハーネスから発生する高周波ノイズが制御部等に入り込むことによる制御系の誤作動を防止することができ、電源効率もよい。
【００１８】
発光部が遊技機本体に対して開閉可能な開閉扉に設けられているので、遊技盤裏面に配置される遊技機の制御部から遊技盤を隔てて遠ざけて発光部を配置することになり、遊技機の制御部に対する発光部のインバータ基板で発生する高周波ノイズの影響をさらに軽減させることができ、制御部の誤作動を防止することができる。
【００１９】
開閉扉が備える複数のコーナ部分に対して、開閉扉の裏面から発光部がそれぞれ取り付けられているので、各発光部毎に発光体と、インバータ基板と、本体部と、基板カバーとによってユニット化されているから、各発光部に対して高電圧にハーネスを引き回さずに済み、漏電等による感電を防止できる。
【図面の簡単な説明】
【図１】本発明の実施形態におけるパチンコ遊技機の正面図
【図２】同上の実施形態における開閉扉及び前面パネルを遊技機本体枠に対して開放させた状態を示すパチンコ遊技機の斜視図
【図３】同上の実施形態における発光ユニットを分解して前面側から示す斜視図
【図４】同上の実施形態における発光ユニットを分解して裏面側から示す斜視図
【符号の説明】
１  遊技機本体枠
２  開閉扉
３  ヒンジ
４  遊技盤
５  前面ガラス
６  発光ユニット（発光部）
７  発光体
８  遊技状態表示器
９  操作ハンドル
１０  インバータ基板
１１  本体部
１２  インバータ基板カバー
１３  側壁
１４  側壁
１５  内側周壁
１６  発光体収納部
１７  インバータ基板収納部
１８  突部
１９  ネジ挿通孔
２０  小孔
２１  側壁
２２  側壁
【図１】
0004247356.tif 000002
【図２】
0004247356.tif 000003
【図３】
0004247356.tif 000004
【図４】
0004247356.tif 000005